(57)【要約】【課題】手に塵埃を付着させることなく、塵埃を含む空気の作業者の前方への排気を抑制することができ、少ない着用動作および着用操作で時間と手間とを要さずに狭い着用スペースでも迅速かつ円滑に着用することができる無塵衣を提供する。【解決手段】無塵衣１０は、作業者の頭部を覆うフード１３と、作業者の胸部および腹部を覆う前身頃１４と、作業者の背部および腰部を覆う後身頃１５と、前後身頃１４，１５の袖付け２１につながって作業者の上腕および前腕を覆う一対の袖１６ａ，１６ｂとから形成されている。無塵衣１０では、後身頃１５の裾２６から上方に向かって凸となる後方開口２７が後身頃１５の略中央に形成され、無塵衣１０を着用した作業者の動作による無塵衣１０の膨張および収縮（ポンピング）にともなって無塵衣１０の内部の空気が後方開口２７から作業者の背部の後方へ排気される。【選択図】図１
2019039081.tif 000002
【特許請求の範囲】
【請求項１】
塵埃発生の抑止と発生した塵埃の速やかな排出とが要求されるスペースにおいて使用される無塵衣であって、
前記無塵衣が、作業者の頭部を覆うフードと、前記フードにつながって前記作業者の胸部および腹部を覆う前身頃と、前記フードにつながって前記作業者の背部および腰部を覆う後身頃と、前記前後身頃の袖付けにつながって前記作業者の上腕および前腕を覆う一対の袖とから形成され、
前記後身頃の略中央には、該後身頃の裾から上方に向かって凸となる後方開口が形成され、前記無塵衣では、それを着用した作業者の動作による前記無塵衣の膨張および収縮にともなって該無塵衣の内部の空気が前記後方開口から該作業者の背部の後方および下方へ排気されることを特徴とする無塵衣。
【請求項２】
前記後方開口が、前記後身頃の裾から前記作業者の背部の略中央を覆う該後身頃の部位にかけて形成されている請求項１に記載の無塵衣。
【請求項３】
前記後方開口の頂部が、前記後身頃の上方へ凸となるように円弧を画いている請求項１または請求項２に記載の無塵衣。
【請求項４】
前記袖が、前記作業者の前腕の略中央までを覆う七分袖である請求項１ないし請求項３いずれかに記載の無塵衣。
【請求項５】
前記袖が、その袖山からその袖口に向かって袖幅が次第に小さくなる先細りに成形されている請求項１ないし請求項４いずれかに記載の無塵衣。
【請求項６】
前記前身頃が、その下端部から下方へ延びていて前記作業者の少なくとも下腹部を覆う延長部を有し、前記前身頃の着丈が、前記後身頃の着丈よりも長い請求項１ないし請求項５いずれかに記載の無塵衣。
【請求項７】
前記フードが、前記作業者の両目と鼻とを露出させるフード開口を有し、前記無塵衣では、前記フード開口を囲繞するフードの開口周縁部に弾性伸縮性部材が伸長状態で取り付けられ、前記弾性伸縮性部材が収縮することで前記開口周縁部に多数のギャザーが形成されている請求項１ないし請求項６いずれかに記載の無塵衣。
【請求項８】
前記無塵衣が、高い引っ張り強度と高い引き裂き強度とを有する繊維不織布から作られ、前記フードと前記前後身頃と前記袖との接合部が、所定の熱溶着手段または縫製によって気密に接合・固着されている請求項１ないし請求項７いずれかに記載の無塵衣。
【請求項９】
前記無塵衣が、ヤッケ型無塵２次更衣であり、それを着用する前であってその内側に着用する無塵１次更衣（１次更衣）と、前記無塵衣の袖の外側に着用する無塵アームカバーとを含み、前記無塵１次更衣が、前記作業者の上半身と下半身とを包被し、前記無塵衣の袖の外側に着用する無塵アームカバーが、前記無塵衣を着用した作業者の上腕と前腕とのうちの少なくとも前腕を包被する長さを有する請求項１ないし請求項８いずれかに記載の無塵衣。
【請求項１０】
前記無塵１次更衣と前記無塵アームカバーとが、高い引っ張り強度と高い引き裂き強度とを有する繊維不織布から作られ、前記ヤッケ型無塵２次更衣と前記無塵１次更衣と前記無塵アームカバーとには、親水化剤による帯電防止加工が施されている請求項９に記載の無塵衣。
【発明の詳細な説明】
【技術分野】
【０００１】
本発明は、塵埃発生の抑止と発生した塵埃の速やかな排出とが要求されるスペースにおいて使用される無塵衣に関する。
【背景技術】
【０００２】
クリーンルームやバイオハザードルーム、Ｐ２〜Ｐ４レベルの実験室等の塵埃発生の抑止と発生した塵埃の速やかな排出とが要求される室内スペースでは、作業者に無塵衣の着用が義務付けられ、無塵衣を着用した作業者が各種の作業を行う。そのような無塵衣の一例として、内面に取り付けられた左右の肩パッド部と、それら肩パッドの間に取り付けられた肩背中央パッド部とを有し、作業者が無塵衣を着用したときに、左右の肩パッド部によって首部と肩部との間に首肩間空間部が形成され、左右の肩パッド部と背肩中央パッド部とによって左右の肩甲骨の上方に背中空間部が形成され、首肩間空間部と背中空間部とから形成された空気循環路を通じて作業者の背中部と胸部との間を無塵服内の空気が流動するように構成した無塵衣が開示されている（特許文献１参照）。
【先行技術文献】
【特許文献】
【０００３】
【特許文献１】特開２０１１−８４８３９号公報
【発明の概要】
【発明が解決しようとする課題】
【０００４】
現在、各種複数の無塵衣が利用されているが、その着用の手順としてたとえば、１次更衣室（共通前室）において１次更衣（１次ガウン）を着用した後、２次更衣エリア（ガウニングエリア）に入り、収容袋に気密に収納された２次更衣（２次ガウン）を収容袋から取り出し、２次更衣エリアにおいて２次更衣（２次ガウン）を着用するオーバーガウニング方式が多く採用されている。
【０００５】
１次更衣の上に２次更衣を着用するオーバーガウニング方式において、２次更衣を着用する２次更衣エリアのスペースが狭く、２次更衣が作業者の上半身を覆う上着タイプおよび下半身を覆うズボンタイプの組み合わせの場合、または、作業者の上半身および下半身を覆うつなぎ服タイプである場合、その着用動作が多いのみならず、スライドファスナーのスライダーをスライドさせる操作やフックおよびループから形成された面ファスナーを係合させる操作が必要になる場合があるとともに、背面側の帯紐によって２次更衣を作業者に結束する操作が必要になる場合があり、その着用に時間と手間とを要し、２次更衣を迅速かつ円滑に着用することができない。また、作業者の手が１次更衣や２次更衣の前面および背面に接触することで、手および作業エリアに汚れや塵埃を付着させてしまうおそれがある。さらに、着用した２次更衣を脱ぐ場合は、２次更衣の着用と逆の動作や操作をしなければならず、その脱衣に時間と手間とを要し、２次更衣を迅速かつ円滑に脱衣することができない。
【０００６】
また、安全キャビネットやクリーンベンチにおいて作業を行う場合、１次更衣および２次更衣を着用した作業者の胸部や腹部に位置する１次および２次更衣の内部から作業者の前方に向かって塵埃を含む空気が排気されると、その空気が安全キャビネットやクリーンベンチに向かって移動し、安全キャビネットやクリーンベンチの作業用チャンバに塵埃が進入する場合がある。
【０００７】
本発明の目的は、作業者が１次更衣室の汚れを清浄な作業エリアに、持ち込むことなく作業エリアに進入して作業を行うことを可能にすることにある。それに利用する無塵衣として、少ない着用動作および少ない着用操作で時間と手間とを要さず、広い着用スペースでなく狭い着用スペースでも迅速かつ円滑に着用することができ、少ない着用動作および少ない着用操作で時間と手間とを要さず、広い着用スペースでなく狭い着用スペースでも迅速かつ円滑に脱衣することができる無塵衣を提供することにある。本発明の他の目的は、塵埃を含む空気の作業者の前方への排気を抑制することができ、安全キャビネットやクリーンベンチの作業用チャンバへの塵埃の進入を防ぐことができる無塵衣を提供することにある。本発明の他の目的は、作業者が着衣時にその手で前面および背面に触れることがなく、作業者の手の汚染を防ぐことができ、作業者の手による作業エリアの汚染を防ぐことができる無塵衣を提供することにある。本発明の他の目的は、無塵１次更衣の上にヤッケ型無塵２次更衣を着用するオーバーガウニング方式において２次更衣である無塵衣を少ない着用動作および少ない着用操作で時間と手間とを要さずに迅速かつ円滑に重ね着することができ、２次更衣である無塵衣を少ない着用動作および少ない着用操作で時間と手間とを要さずに迅速かつ円滑に脱衣することができる無塵衣を提供することにある。
【課題を解決するための手段】
【０００８】
前記課題を解決するための本発明の前提は、塵埃発生の抑止と発生した塵埃の速やかな排出とが要求されるスペースにおいて使用される無塵衣である。
【０００９】
前記前提における本発明の特徴としては、無塵衣が、作業者の頭部を覆うフードと、フードにつながって作業者の胸部および腹部を覆う前身頃と、フードにつながって作業者の背部および腰部を覆う後身頃と、前後身頃の袖付けにつながって作業者の上腕および前腕を覆う一対の袖とから形成され、後身頃の略中央には、後身頃の裾から上方に向かって凸となる後方開口が形成され、無塵衣では、それを着用した作業者の動作による無塵衣の膨張および収縮（ポンピング）にともなって無塵衣の内部の空気が後方開口から該作業者の背部の後方および下方へ排気されることにある。
【００１０】
本発明の一例としては、後方開口が後身頃の裾から作業者の背部の略中央を覆う後身頃の部位にかけて形成されている。
【００１１】
本発明の他の一例としては、後方開口の頂部が後身頃の上方へ凸となるように円弧を画いている。
【００１２】
本発明の他の一例としては、袖が作業者の前腕の略中央までを覆う七分袖である。
【００１３】
本発明の他の一例としては、袖がその袖山からその袖口に向かって袖幅が次第に小さくなる先細りに成形されている。
【００１４】
本発明の他の一例としては、前身頃がその下端部から下方へ延びていて作業者の少なくとも下腹部を覆う延長部を有し、前身頃の着丈が後身頃の着丈よりも長い。
【００１５】
本発明の他の一例としては、フードが作業者の両目と鼻とを露出させるフード開口を有し、無塵衣では、フード開口を囲繞するフードの開口周縁部に弾性伸縮性部材が伸長状態で取り付けられ、弾性伸縮性部材が収縮することで開口周縁部に多数のギャザーが形成されている。
【００１６】
本発明の他の一例としては、無塵衣が高い引っ張り強度と高い引き裂き強度とを有する繊維不織布から作られ、フードと前後身頃と袖との接合部が所定の熱溶着手段または縫製によって気密に接合・固着されている。
【００１７】
本発明の他の一例としては、無塵衣がヤッケ型無塵２次更衣であり、それを着用する前であってその内側に着用する無塵１次更衣（１次更衣）と、無塵衣の袖の外側に着用する無塵アームカバーとを含み、無塵１次更衣が作業者の上半身と下半身とを包被し、無塵衣の袖の外側に着用する無塵アームカバーが無塵衣を着用した作業者の上腕と前腕とのうちの少なくとも前腕を包被する長さを有する。
【００１８】
本発明の他の一例としては、無塵１次更衣と無塵アームカバーとが高い引っ張り強度と高い引き裂き強度とを有する繊維不織布から作られ、ヤッケ型無塵２次更衣と無塵１次更衣と無塵アームカバーとには、親水化剤による帯電防止加工が施されている。
【発明の効果】
【００１９】
本発明に係る無塵衣によれば、後身頃の裾から上方に向かって凸となる後方開口が後身頃の略中央に形成されており、後方開口が形成されていない無塵衣と比較し、前身頃および後身頃の裾（下端縁）に囲繞された裾口開口とその裾口開口につながる後方開口とから形成された着用時または脱衣時の挿入開口（裾口開口＋後方開口）が大きくなり、無塵衣を着用する場合、作業者の頭部や胴部を挿入開口に容易に挿通することができ、挿入開口に頭部や胴部を挿通した後、フードに頭部を挿入し、一方の袖に一方の腕を挿通するとともに、他方の袖に他方の腕を挿通すればよく、さらに、スライドファスナーのスライダーをスライドさせる操作やフックおよびループから形成された面ファスナーを係合させる操作が不要となるとともに、帯紐によって無塵衣を作業者に結束する操作が不要となり、少ない着用動作および少ない着用操作で時間と手間とを要さず、広い着用スペースでなく狭い着用スペースでも迅速かつ円滑に着用することができる。また、作業者が着衣時にその手で前面および背面に触れることがなく、作業者の手の汚染を防ぐことができ、作業者の手による作業エリアの汚染を防ぐことができる。本発明に係る無塵衣を利用することで、作業者が１次更衣室の汚れを清浄な作業エリアに持ち込むことなく、作業エリアに進入して作業を行うことを可能にすることができる。無塵衣は、それを脱ぐときに、一方の袖から作業者の一方の腕を抜き、他方の袖から他方の腕を抜くとともに、フードから頭部を抜き、挿入開口（裾口開口＋後方開口）から頭部や胴部を抜けばよく、作業者の頭部や胴部を挿入開口から容易に抜くことができ、さらに、スライドファスナーのスライダーをスライドさせる操作や面ファスナーを外す操作が不要となるとともに、帯紐を解く操作が不要となり、少ない脱衣動作および少ない脱衣操作で時間と手間とを要さず、広い着用スペースでなく狭い着用スペースでも迅速かつ円滑に脱衣することができる。無塵衣は、それを着用した作業者の動作による無塵衣の膨張および収縮（ポンピング）にともなって、無塵衣の内部の空気が後方開口から作業者の背部の後方および下方へ排気されるから、無塵衣の内部の空気に塵埃が含まれていたとしても、塵埃を含む空気が作業者の前方（作業エリア側）へ排気されることはなく、塵埃を含む空気の作業者の前方への排気を防ぐことができ、安全キャビネットやクリーンベンチを利用しての作業中における安全キャビネットやクリーンベンチの作業用チャンバへの塵埃の進入を防ぐことができる。無塵衣は、作業者の背部の側に後方開口が形成されているから、作業者の背中側が開放されて涼しく、着用時の快適性を向上させることができる。
【００２０】
後方開口が後身頃の裾から作業者の背部の略中央を覆う後身頃の部位にかけて形成されている無塵衣は、後身頃の裾から上方に向かって凸となる後方開口が後身頃の略中央であって後身頃の裾から作業者の背部の略中央を覆う後身頃の部位にかけて形成されており、後身頃の裾から作業者の背部の略中央を覆う後身頃の部位にかけて後方開口が形成されていない無塵衣と比較し、前身頃および後身頃の裾に囲繞された裾口開口とその裾口開口につながる後方開口とから形成された着用時または脱衣時の挿入開口（裾口開口＋後方開口）が大きくなり、無塵衣を着用する場合、作業者の頭部や胴部を挿入開口に容易に挿通することができ、挿入開口に頭部や胴部を挿通した後、フードに頭部を挿入し、一方の袖に一方の腕を挿通するとともに、他方の袖に他方の腕を挿通すればよく、さらに、スライドファスナーのスライダーをスライドさせる操作やフックおよびループから形成された面ファスナーを係合させる操作が不要となるとともに、帯紐によって無塵衣を作業者に結束する操作が不要となり、少ない着用動作および少ない着用操作で時間と手間とを要さず、広い着用スペースでなく狭い着用スペースでも迅速かつ円滑に着用することができる。また、作業者が着衣時にその手で前面および背面に触れることがなく、作業者の手の汚染を防ぐことができ、作業者の手による作業エリアの汚染を防ぐことができる。無塵衣は、それを脱ぐときに、一方の袖から作業者の一方の腕を抜き、他方の袖から他方の腕を抜くとともに、フードから頭部を抜き、挿入開口（裾口開口＋後方開口）から頭部や胴部を抜けばよく、作業者の頭部や胴部を挿入開口から容易に抜くことができ、さらに、スライドファスナーのスライダーをスライドさせる操作や面ファスナーを外す操作が不要となるとともに、帯紐を解く操作が不要となり、少ない脱衣動作および少ない脱衣操作で時間と手間とを要さず、広い着用スペースでなく狭い着用スペースでも迅速かつ円滑に脱衣することができる。無塵衣は、それを着用した作業者の動作による無塵衣の膨張および収縮（ポンピング）にともなって、無塵衣の内部の空気が後方開口から作業者の背部の後方および下方へ排気されるから、無塵衣の内部の空気に塵埃が含まれていたとしても、塵埃を含む空気が作業者の前方（作業エリア側）へ排気されることはなく、塵埃を含む空気の作業者の前方への排気を防ぐことができ、安全キャビネットやクリーンベンチを利用しての作業中における安全キャビネットやクリーンベンチの作業用チャンバへの塵埃の進入を防ぐことができる。
【００２１】
後方開口の頂部が後身頃の上方へ凸となるように円弧を画いている無塵衣は、後身頃の裾から上方に向かって凸となるように円弧を画く後方開口が後身頃の略中央であって後身頃の裾から作業者の背部の略中央を覆う後身頃の部位にかけて形成されており、後身頃の裾から作業者の背部の略中央を覆う後身頃の部位にかけて円弧を画く後方開口が形成されていない無塵衣と比較し、前身頃および後身頃の裾に囲繞された裾口開口とその裾口開口につながる後方開口とから形成された着用時または脱衣時の挿入開口（裾口開口＋後方開口）が大きくなり、無塵衣を着用する場合、作業者の頭部や胴部を挿入開口に容易に挿通することができ、挿入開口に頭部や胴部を挿通した後、フードに頭部を挿入し、一方の袖に一方の腕を挿通するとともに、他方の袖に他方の腕を挿通すればよく、さらに、スライドファスナーのスライダーをスライドさせる操作やフックおよびループから形成された面ファスナーを係合させる操作が不要となるとともに、帯紐によって無塵衣を作業者に結束する操作が不要となり、少ない着用動作および少ない着用操作で時間と手間とを要さず、広い着用スペースでなく狭い着用スペースでも迅速かつ円滑に着用することができる。また、作業者が着衣時にその手で前面および背面に触れることがなく、作業者の手の汚染を防ぐことができ、作業者の手による作業エリアの汚染を防ぐことができる。無塵衣は、それを脱ぐときに、一方の袖から作業者の一方の腕を抜き、他方の袖から他方の腕を抜くとともに、フードから頭部を抜き、挿入開口（裾口開口＋後方開口）から頭部や胴部を抜けばよく、作業者の頭部や胴部を挿入開口から容易に抜くことができ、さらに、スライドファスナーのスライダーをスライドさせる操作や面ファスナーを外す操作が不要となるとともに、帯紐を解く操作が不要となり、少ない脱衣動作および少ない脱衣操作で時間と手間とを要さず、広い着用スペースでなく狭い着用スペースでも迅速かつ円滑に脱衣することができる。無塵衣は、後方開口の頂部が後身頃の上方へ凸となるように円弧を画くことで、後身頃が後方開口において破れ難いとともに、後方開口を囲繞する後身頃に皺や折り目が付き難く、後方開口が塞がれることはないから、無塵衣を着用した作業者の動作による無塵衣の膨張および収縮（ポンピング）にともなって、無塵衣の内部の空気が後方開口から作業者の背部の後方および下方へ確実に排気され、無塵衣の内部の空気に塵埃が含まれていたとしても、塵埃を含む空気が作業者の前方（作業エリア側）へ排気されることはなく、塵埃を含む空気の作業者の前方への排気を防ぐことができ、安全キャビネットやクリーンベンチを利用しての作業中における安全キャビネットやクリーンベンチの作業用チャンバへの塵埃の進入を防ぐことができる。
【００２２】
袖が作業者の前腕の略中央までを覆う七分袖である無塵衣は、袖を七分袖にすることで、袖を十分袖にする場合と比較し、各袖に腕を容易に挿入することができるとともに、各袖から腕を容易に引き抜くことができるから、時間と手間とを要さず、広い着用スペースでなく狭い着用スペースでも迅速かつ円滑に無塵衣を着用することができ、時間と手間とを要さず、広い着用スペースでなく狭い着用スペースでも迅速かつ円滑に無塵衣を脱衣することができる。無塵衣は、たとえば作業者の手や腕に無塵衣の他に手袋やアームカバー等の他の着用物品を着用する場合、袖を七分袖にすることで、それらの着用物品を容易に着用することができるとともに、それらの着用物品を容易に脱衣することができる。
【００２３】
袖が前後身頃の袖付けからその袖口に向かって袖幅が次第に小さくなる先細りに成形されている無塵衣は、袖が袖付けからその袖口に向かって袖幅が次第に小さくなる先細りに成形されることで、ゴム紐で袖口を絞って塞ぐ必要はなく、作業者の前腕に袖口が固定され、袖の前腕から上腕へのズレ上がりを防ぐことができ、無塵衣の内部の空気に塵埃が含まれていたとしても、塵埃を含む空気が袖口から外部に排気されることを抑えることができ、安全キャビネットやクリーンベンチを利用しての作業中における安全キャビネットやクリーンベンチの作業用チャンバへの塵埃の進入を抑えることができる。
【００２４】
前身頃がその下端部から下方に向かって延びていて作業者の少なくとも下腹部を覆う延長部を有し、前身頃の着丈が後身頃の着丈よりも長い無塵衣は、前身頃が延長部を有することで、前身頃の裾が下方へ延長されるから、無塵衣の内部の空気が前身頃の側の裾口開口から作業者の前方（作業エリア側）に排気され難くなり、塵埃を含む空気の作業者の前方への排気を防ぐことができる。
【００２５】
フードが作業者の両目と鼻とを露出させるフード開口を有し、フード開口を囲繞するフードの開口周縁部に弾性伸縮性部材が伸長状態で取り付けられ、弾性伸縮性部材が収縮することで開口周縁部に多数のギャザーが形成されている無塵衣は、無塵衣を着用した作業者の両目と鼻とがフード開口から露出し、作業者の視界と呼吸とが妨げられることはないとともに、収縮した弾性伸縮性部材によってフードの開口周縁部と作業者の顔面との間に隙間が生じ難く、無塵衣の内部の空気に塵埃が含まれていたとしても、塵埃を含む空気が作業者の顔面から前方（作業エリア側）へ排気されることはなく、塵埃を含む空気の作業者の前方への排気を防ぐことができ、安全キャビネットやクリーンベンチを利用しての作業中における安全キャビネットやクリーンベンチの作業用チャンバへの塵埃の進入を防ぐことができる。
【００２６】
高い引っ張り強度と高い引き裂き強度とを有する繊維不織布から作られ、フードと前後身頃と袖との接合部が所定の熱溶着手段または縫製によって気密に接合・固着されている無塵衣は、それが高い引っ張り強度と高い引き裂き強度とを有する繊維不織布から作られることで、無塵衣の耐久性を向上させることができ、無塵衣の着用中における無塵衣の不用意な破損を防止することができる。無塵衣は、フードと前後身頃と袖との接合部が熱溶着手段または縫製によって気密に接合・固着されているから、接合部から無塵衣への他物の滲入や接合部からの塵埃を含む空気の漏出を防ぐことができる。
【００２７】
無塵衣がヤッケ型無塵２次更衣であり、それを着用する前であってその内側に着用する無塵１次更衣（１次更衣）と、無塵衣の袖の外側に着用する無塵アームカバーとを含み、無塵１次更衣が作業者の上半身と下半身とを包被し、無塵衣の袖の外側に着用する無塵アームカバーが無塵衣を着用した作業者の上腕と前腕とのうちの少なくとも前腕を包被する長さを有する無塵衣は、１次更衣の上に２次更衣を着用するオーバーガウニング方式において、無塵１次更衣の上にヤッケ型無塵２次更衣を重ね着し、ヤッケ型無塵２次更衣の袖の外側に無塵アームカバーを着用する場合、無塵１次更衣を着用した作業者の頭部や胴部を挿入開口に挿通した後、フードに頭部を挿入し、一方の袖に一方の腕を挿通するとともに、他方の袖に他方の腕を挿通するとともに、無塵アームカバーをヤッケ型無塵２次更衣の袖の外側に着用すればよく、無塵１次更衣を着用した作業者の頭部や胴部を無塵衣の挿入開口（裾口開口＋後方開口）に容易に挿通することができ、２次更衣であるヤッケ型無塵２次更衣を少ない着用動作および少ない着用操作で時間と手間とを要さずに迅速かつ円滑に重ね着することができる。無塵衣は、ヤッケ型無塵２次更衣を脱ぐ場合、一方の袖と無塵アームカバーとから一方の腕を抜き、他方の袖と無塵アームカバーとから他方の腕を抜くとともに、フードから頭部を抜き、挿入開口（裾口開口＋後方開口）から頭部や胴部を抜けばよく、無塵１次更衣を着用した作業者の頭部や胴部をヤッケ型無塵２次更衣の挿入開口から容易に抜くことができ、２次更衣であるヤッケ型無塵２次更衣を少ない脱衣動作および少ない脱衣操作で時間と手間とを要さずに迅速かつ円滑に脱衣することができる。無塵衣は、無塵１次更衣の上にヤッケ型無塵２次更衣を重ね着し、ヤッケ型無塵２次更衣の袖の外側に無塵アームカバーを着用した作業者の動作による無塵衣の膨張および収縮（ポンピング）にともなって、無塵１次更衣やヤッケ型無塵２次更衣の内部の空気が後方開口から作業者の背部の後方および下方へ排気されるから、無塵１次更衣やヤッケ型無塵２次更衣の内部の空気に塵埃が含まれていたとしても、塵埃を含む空気が作業者の前方（作業エリア側）へ排気されることはなく、塵埃を含む空気の作業者の前方への排気を防ぐことができ、安全キャビネットやクリーンベンチを利用しての作業中における安全キャビネットやクリーンベンチの作業用チャンバへの塵埃の進入を防ぐことができる。無塵衣は、ヤッケ型無塵２次更衣に後方開口が形成されているから、作業者の背中側が開放されて涼しく、着用時の快適性を向上させることができる。無塵衣は、無塵アームカバーがヤッケ型無塵２次更衣の袖の外側に着用されるから、無塵衣に対する無塵アームカバーの着用や脱衣が容易であり、無塵アームカバーが汚れた場合でも、その無塵アームカバーを速やかに交換することができる。
【００２８】
無塵１次更衣と無塵アームカバーとが高い引っ張り強度と高い引き裂き強度とを有する繊維不織布から作られ、親水化剤による帯電防止加工がヤッケ型無塵２次更衣と無塵１次更衣と無塵アームカバーとに施されている無塵衣は、無塵１次更衣と無塵アームカバーとが高い引っ張り強度と高い引き裂き強度とを有する繊維不織布から作られることで、無塵１次更衣および無塵アームカバーの耐久性を向上させることができ、無塵１次更衣および無塵アームカバーの着用中におけるそれらの不用意な破損を防止することができる。無塵衣は、無塵１次更衣の上にヤッケ型無塵２次更衣を重ね着し、ヤッケ型無塵２次更衣の袖の外側に無塵アームカバーを着用した着用状態において無塵１次更衣やヤッケ型無塵２次更衣、無塵アームカバーが擦れ合うと静電気が発生し、作業者に不快感を与えるばかりか、静電気によって塵埃を含む周囲の浮遊物が無塵１次更衣やヤッケ型無塵２次更衣、無塵アームカバーに付着し、無塵１次更衣やヤッケ型無塵２次更衣、無塵アームカバーが汚染されるとともに、無塵１次更衣やヤッケ型無塵２次更衣、無塵アームカバーを介して安全キャビネットやクリーンベンチの作業用チャンバに塵埃を含む浮遊物が進入する場合があるが、親水化剤による帯電防止加工が無塵１次更衣やヤッケ型無塵２次更衣、無塵アームカバーに施されているから、静電気の発生を抑えることができ、作業者が無塵１次更衣やヤッケ型無塵２次更衣、無塵アームカバーを快適に着用することができ、塵埃を含む周囲の浮遊物の無塵１次更衣やヤッケ型無塵２次更衣、無塵アームカバーへの付着を防ぐことができるとともに、安全キャビネットやクリーンベンチの作業用チャンバへの塵埃を含む浮遊物の進入を防ぐことができる。
【図面の簡単な説明】
【００２９】
【図１】一例として示す無塵衣の斜視図。
【図２】図１の無塵衣１０の正面図。
【図３】図１の無塵衣１０の背面図。
【図４】図１の無塵衣１０の分解斜視図。
【図５】無塵１次更衣を着用した作業者の正面斜視図。
【図６】無塵１次更衣の上に無塵衣（ヤッケ型無塵２次更衣）を着用し、無塵衣の袖の外側に無塵アームカバーを着用した図５から続く作業者の正面斜視図。
【図７】無塵１次更衣の上に無塵衣（ヤッケ型無塵２次更衣）を着用し、無塵衣の袖の外側に無塵アームカバーを着用した作業者の背面斜視図。
【図８】無塵衣や無塵１次更衣、無塵アームカバーを着用した作業者が安全キャビネットで作業する場合の側面図。
【図９】無塵衣や無塵１次更衣、無塵アームカバーを着用した作業者が安全キャビネットで作業する場合の背面図。
【発明を実施するための形態】
【００３０】
一例として示す無塵衣１０の斜視図である図１等の添付の図面を参照し、本発明にかかる無塵衣の詳細を説明すると、以下のとおりである。なお、図２は、図１の無塵衣１０の正面図であり、図３は、図１の無塵衣１０の背面図である。図４は、図１の無塵衣１０の分解斜視図である。
【００３１】
無塵衣１０は、クリーンルームやバイオハザードルーム、Ｐ２〜Ｐ４レベルの実験室等の塵埃発生の抑止と発生した塵埃の速やかな排出とが要求される室内スペース（スペース）において使用される。無塵衣１０は、無塵１次更衣１１（１次更衣）の上に重ね着されるヤッケ型無塵２次更衣（２次更衣）であり、オーバーガウニング方式に利用される。
【００３２】
無塵衣１０は、その内側に着用する無塵１次更衣１１（１次更衣）（図５参照）と無塵アームカバー１２（図６参照）とを含む。無塵衣１０には、スライダーを備えたスライドファスナーやフックおよびループから形成された面ファスナー、帯紐等の結束具は取り付けられていない。
【００３３】
無塵１次更衣１１として作業者３７（図５参照）の上半身および下半身を覆うつなぎ服タイプを図示しているが、無塵１次更衣１１が作業者の上半身を覆う上着タイプおよび下半身を覆うズボンタイプの組み合わせであってもよい。無塵アームカバー１２は、作業者３７の上腕の略中央までを包被する長さ寸法を有するが、無塵アームカバー１２の長さ寸法に特に制限はなく、作業者３７の上腕と前腕とのうちの少なくとも前腕を包被する長さ寸法であればよい。
【００３４】
無塵衣１０（ヤッケ型無塵２次更衣）と無塵１次更衣１１と無塵アームカバー１２とは、図示はしていないが、無塵衣１０を気密に収容した収容袋と無塵１次更衣１１および無塵アームカバー１２を気密に収容した収容袋とをセットにした無塵衣ウェアーセットとして流通・販売される場合、または、無塵衣１０（ヤッケ型無塵２次更衣）や無塵１次更衣１１、無塵アームカバー１２が別々の収容袋に気密に収容され、無塵衣１０のみや無塵１次更衣１１のみ、無塵アームカバー１２のみがそれぞれ単独で別々に流通・販売される場合がある。
【００３５】
無塵衣１０は、フード１３と、フード１３につながる前身頃１４と、フード１３につながる後身頃１５と、一対の袖１６ａ，１６ｂとから形成されている。無塵衣１０（フード１３、前身頃１４、後身頃１５、袖１６ａ，１６ｂ）、無塵１次更衣１１、無塵アームカバー１２は、高い引っ張り強度と高い引き裂き強度とを有する繊維不織布から作られている。無塵衣１０と無塵１次更衣１１と無塵アームカバー１２とには、親水化剤による帯電防止加工が施されている。なお、無塵衣１０や無塵１次更衣１１、無塵アームカバー１２に帯電防止加工が施されていなくてもよい。
【００３６】
繊維不織布には、スパンレース不織布やメルトブローン不織布、ＳＭＳ不織布、フラッシュスパン不織布を使用することができる。また、スパンレース不織布やメルトブローン不織布、ＳＭＳ不織布、フラッシュスパン不織布のうちの少なくとも２種類の不織布を少なくとも２層以上に積層した複合不織布を使用することもできる。繊維不織布には、既述のそれらの他に、サーマルボンド不織布、ケミカルボンド不織布、ニードルパンチ不織布、ステッチボンド不織布を使用することもできる。それら繊維不織布には、ナイロンやポリエステル、ポリプロピレン、キュプラ等を材料とした長繊維から作られ、低発塵であることが好ましい。なお、それら繊維不織布がナイロンやポリエステル、ポリプロピレン、キュプラ等を材料とした短繊維から作られていてもよい。
【００３７】
フード１３は、作業者３７の頭部を覆う大きさに成形されている。フード１３には、作業者３７の両目と鼻とを露出させる円形のフード開口１７が作られている。フード開口１７を囲繞するフード１３の開口周縁部１８には、紐状の弾性ゴム１９（弾性伸縮性部材）が伸長状態で取り付けられている。フード１３の開口周縁部１８には、弾性ゴム１９（弾性伸縮性部材）が収縮することで多数のギャザーが形成されている。
【００３８】
前身頃１４は、所定寸法の着丈（縦寸法）および所定寸法の身幅（横寸法）並びに所定寸法の肩幅とを有し、作業者３７の胸部および腹部を覆う大きさに成形されている。前身頃１４には、襟刳り２０と袖付け２１とが作られている。前身頃１４は、その下端部から下方に向かって延びる延長部２２を有する。延長部２２は、起立状態にある作業者３７の下腹部と鼠径部とを覆う。前身頃１４は、延長部２２を有することで、その裾２３（下端縁）が後身頃１５の裾２６（下端縁）よりも下方に位置し、その着丈が後身頃１５の着丈よりも長い。なお、前身頃１４に延長部２２が形成されていなくてもよい。
【００３９】
後身頃１５は、所定寸法の着丈（縦寸法）および所定寸法の身幅（横寸法）並びに所定寸法の肩幅とを有し、作業者３７の背部および腰部を覆う大きさに成形されている。後身頃１５には、襟刳り２４と袖付け２５とが作られている。前身頃１４および後身頃１５の着丈や身幅、肩幅の各寸法を調整することで、Ｓ，Ｍ，Ｌ，ＬＬ等の各サイズの無塵衣１０を制作することができる。
【００４０】
後身頃１５には、その裾２６（下端縁）から上方に向かって凸となる後方開口２７が形成されている。後方開口２７は、後身頃１５を裁断することから作られ、後身頃２７の幅方向の略中央であって後身頃の裾２６（下端縁）から作業者３７の背部の略中央を覆う後身頃２７の部位にかけて形成されている。後方開口２７は、その頂部２８が後身頃１５の上方へ凸となるように円弧を画いている。後方開口２７の着丈（縦寸法）は、後身頃１５の着丈（縦寸法）の１／２以上であって３／４以下である。後方開口２７の身幅（横寸法）は、後身頃１５の身幅（横寸法）の１／４以上であって３／４以下である。
【００４１】
それら袖１６ａ，１６ｂは、その形状や袖丈、袖幅が同一であり、作業者３７の前腕の略中央までを覆う袖丈が短い七分袖である。なお、それら袖１６ａ，１６ｂが作業者３７の上腕および前腕のすべてを覆う十分袖であってもよい。袖１６ａ，１６ｂは、その袖山２９（前後身頃１４，１５の袖付け２１，２５）からその袖口３０に向かって袖幅が次第に小さくなる先細り（テーパー状）に成形されている。袖１６ａ，１６ｂの袖丈や袖幅の各寸法を調整することで、Ｓ，Ｍ，Ｌ，ＬＬ等の各サイズの無塵衣１０を制作することができる。
【００４２】
前身頃１４と後身頃１５とは、それらの肩部３１と袖付け２１，２５から下方へ延びる胴部３２との接合部が所定の熱溶着手段または縫製によって気密に接合・固着され、身頃３３を形成している。熱溶着手段には、超音波シールやヒートシールの技術を利用することができる。フード１３は、右半身１３ａと左半身１３ｂとの中心縁部３４の接合部が熱溶着手段または縫製によって気密に接合・固着されることから作られている。
【００４３】
フード１３の首周り３５と前身頃１４および後身頃１５の襟刳り２０，２４との接合部が熱溶着手段または縫製によって気密に接合・固着され、前身頃１４および後身頃１５とひとつながりになっている。それら袖１６ａ，１６ｂは、その側部３６の接合部が熱溶着手段または縫製によって気密に接合・固着され、筒状に成形されている。それら袖１６ａ，１６ｂの袖山２９と前身頃１４および後身頃１５の袖付け２１，２５との接合部が熱溶着手段または縫製によって気密に接合・固着され、前身頃１４および後身頃１５とひとつながりになっている。
【００４４】
図５は、無塵１次更衣１１を着用した作業者３７の正面斜視図であり、図６は、無塵１次更衣１１の上に無塵衣１０（ヤッケ型無塵２次更衣）を着用し、無塵衣１０の袖の外側に無塵アームカバー１２を着用した図５から続く作業者３７の正面斜視図である。図７は、無塵１次更衣１１の上に無塵衣１０（ヤッケ型無塵２次更衣）を着用し、無塵衣１０の袖の外側に無塵アームカバー１２を着用した作業者３７の背面斜視図である。
【００４５】
無塵１次更衣１１や無塵衣１０（ヤッケ型無塵２次更衣）、無塵アームカバー１２の着用手順の一例は以下のとおりである。なお、塵埃発生の抑止と発生した塵埃の速やかな排出とが要求される室をクリーンルームとして着用手順を説明する。無塵１次更衣１１が収容袋に収容され、マスク３７やキャップ３９、手袋４０が収容袋に収容され、無塵１次更衣１１を収容した収容袋とマスク３７やキャップ３９、手袋４０を収容した収容袋とがクリーンルームの１次更衣室（共通前室）の棚に置かれているものとする。無塵衣１０が収容袋に収容され、無塵アームカバー１２が収容袋に収容され、無塵衣１０を収容した収容袋と無塵アームカバー１２を収容した収容袋とがクリーンルームの２次更衣室（ガウニング室）の棚に置かれているものとする。
【００４６】
作業者３７は、クリーンルームの１次更衣室（共通前室）に入り、その１次更衣室の棚からマスク３７やキャップ３９、手袋４０を収容した収容袋を取り、その収容袋からマスク３７、キャップ３９、手袋４０を取り出す。作業者３７は、最初に１次更衣室（共通前室）において両手に手袋４０を嵌め、口にマスク３７をかけ、頭にキャップ３９を被る。次に、作業者３７は、１次更衣室の棚から無塵１次更衣１１を収容した収容袋を取り、その収容袋から無塵１次更衣１１（１次更衣）を取り出す。作業者３７は、図５に示すように、１次更衣室（共通前室）において無塵１次更衣１１を着用する。
【００４７】
無塵１次更衣１１（マスク３８、キャップ３９、手袋４０を含む）を着用した作業者３７は、１次更衣室（共通前室）からクリーンルームの２次更衣室（ガウニング室）に移動し、その２次更衣室の棚から無塵衣１０（ヤッケ型無塵２次更衣）を収容した収容袋を取り、その収容袋から無塵衣１０を取り出す。
【００４８】
無塵衣１０は、後身頃１５の裾２６（下端縁）から上方に向かって凸となるように円弧を画く後方開口２７が後身頃１５の略中央であって後身頃１５の裾２６（下端縁）から作業者３７の背部の略中央を覆う後身頃１５の部位にかけて形成されており、後身頃１５の裾２６から作業者３７の背部の略中央を覆う後身頃１５の部位にかけて円弧を画く後方開口２７が形成されていない無塵衣と比較し、前身頃１４および後身頃１５の裾２３，２６（下端縁）に囲繞された裾口開口４２とその裾口開口４２につながる後方開口２７（背部開口）とから形成された着用時または脱衣時の挿入開口４３（裾口開口４２＋後方開口２７）が大きくなる。
【００４９】
作業者３７は、前身頃１４および後身頃１５の裾２３，２６（下端縁）に囲繞された裾口開口４２とその裾口開口４２につながる後方開口２７（背部開口）とから形成された挿入開口４３（裾口開口４２＋後方開口２７）を広げ、挿入開口４３に頭部を挿入し、挿入開口４３に頭部や胴部を挿通した後、フード１３に頭部を挿入し、一方の袖１６ａに一方の腕（無塵１次更衣１１の一方の袖４１ａ）を挿通するとともに、他方の袖１６ｂに他方の腕（無塵１次更衣１１の他方の袖４１ｂ）を挿通する。
【００５０】
作業者３７が無塵衣１０を着用すると、フード１３が作業者３７の頭部を覆い、前身頃１４が無塵１次更衣１１の前身頃４４の上（外側）に位置し、後身頃１５が無塵１次更衣１１の後身頃４５の上（外側）に位置する。各袖１６ａ，１６ｂが無塵１次更衣１１の各袖４１ａ，４１ｂの上（外側）に位置する。作業者３７の両目と鼻とがフード開口１７から露出し、フード１３の開口周縁部１８に取り付けられた弾性ゴム１９が伸長されてフード１３の開口周縁部１８が作業者３７の顔面に密着している。
【００５１】
無塵１次更衣１１の上（外側）に無塵衣１０を着用した作業者３７は、２次更衣室の棚から無塵アームカバー１２を収容した収容袋を取り、その収容袋から無塵アームカバー１２を取り出す。作業者３７は、図６に示すように、一方の無塵アームカバー１２に一方の腕を挿通し、その無塵アームカバー１２を無塵衣１０の一方の袖１６ａおよび無塵１次更衣１１の一方の袖４１ａの上（外側）に着用し、他方の無塵アームカバー１２に他方の腕を挿通し、その無塵アームカバー１２を無塵衣１０の他方の袖１６ｂおよび無塵１次更衣１１の他方の袖４１ｂの上（外側）に着用する。
【００５２】
作業者３７は、無塵１次更衣１１の上に無塵衣１０を重ね着（着用）し、無塵衣１０の各袖１６ａ，１６ｂの上に無塵アームカバー１２を着用した後、２次更衣室（ガウニング室）からクリーンルームの作業室や実験室に移動し、作業室において所定の作業を行い、実験室において所定の実験を行う。無塵衣１０を着用した作業者３７の動作によって無塵衣１０および無塵１次更衣１１が膨張および収縮（ポンピング）を繰り返す。
【００５３】
無塵衣１０および無塵１次更衣１１が収縮から膨張すると、無塵衣１０および無塵１次更衣１１の内部の空気が無塵衣１０および無塵１次更衣１１の内部から外部に放出される。無塵衣１０では、後身頃１５に後方開口２７が形成されているから、図に矢印Ｌ１で示すように、無塵衣１０および無塵１次更衣１１の内部の空気が後方開口２７から作業者３７の背部の後方および下方へ排気され、無塵衣１０および無塵１次更衣１１の内部の空気が前身頃１４の前方やフード１３の前方へ排気されることはない。
【００５４】
無塵衣１０（ヤッケ型無塵２次更衣）は、１次更衣の上に２次更衣を着用するオーバーガウニング方式において、無塵１次更衣１１の上（外側）に無塵衣１０を重ね着する場合、無塵１次更衣１１を着用した作業者３７の頭部や胴部を挿入開口４３（裾口開口４２＋後方開口２７）に容易に挿通することができ、挿入開口４３に頭部や胴部を挿通した後、フード１３に頭部を挿入し、一方の袖１６ａに一方の腕（無塵１次更衣１１の一方の袖４１ａ）を挿通するとともに、他方の袖１６ｂに他方の腕（無塵１次更衣１１の他方の袖４１ｂ）を挿通すればよく、２次更衣である無塵衣１０を少ない着用動作で時間と手間とを要さず、広い着用スペースでなく狭い着用スペースでも迅速かつ円滑に着用することができる。
【００５５】
無塵衣１０は、スライダーを有するスライドファスナーやフックおよびループから形成された面ファスナー、無塵衣１０を作業者に結束する帯紐が取り付けられておらず、スライドファスナーや面ファスナー、帯紐を備えた無塵衣と比較し、スライドファスナーのスライダーをスライドさせる操作やフックおよびループから形成された面ファスナーを係合させる操作が不要となるとともに、帯紐によって無塵衣１０を作業者に結束する操作が不要となり、少ない着用操作で時間と手間とを要さず、広い着用スペースでなく狭い着用スペースでも迅速かつ円滑に着用することができる。
【００５６】
無塵衣１０は、袖１６ａ，１６ｂを七分袖にすることで、袖１６ａ，１６ｂを十分袖にする場合と比較し、各袖１６ａ，１６ｂに作業者３７の腕を容易に挿入することができるとともに、各袖１６ａ，１６ｂから作業者３７の腕を容易に引き抜くことができるから、時間と手間とを要さずに迅速かつ円滑に無塵衣１０を着用することができるとともに、時間と手間とを要さずに迅速かつ円滑に無塵衣１０を脱衣することができる。無塵衣１０は、作業者３７の手や腕に手袋４０やアームカバー１２を着用する場合、袖１６ａ，１６ｂを七分袖にすることで、それらを容易に着用することができるとともに、それらを容易に脱衣することができる。
【００５７】
無塵衣１０は、作業者が着衣時にその手で前面および背面に触れることがなく、作業者の手の汚染を防ぐことができ、作業者の手による作業エリアの汚染を防ぐことができる。無塵衣１０は、作業者の背部の側に後方開口２７が形成されているから、作業者の背中側が開放されて涼しく、着用時の快適性を向上させることができる。
【００５８】
無塵衣１０（ヤッケ型無塵２次更衣）や無塵１次更衣１１、無塵アームカバー１２が高い引っ張り強度と高い引き裂き強度とを有する繊維不織布から作られているから、無塵衣１０や無塵１次更衣１１、無塵アームカバー１２の耐久性を向上させることができ、無塵衣１０や無塵１次更衣１１、無塵アームカバー１２の着用中におけるそれらの不用意な破損を防止することができる。また、後方開口２７の頂部２８が後身頃１５の上方へ凸となるように円弧を画いているから、無塵衣１０の後身頃１５を後方開口２７において破れ難くすることができ、着用中における後身頃１５の不用意な破損を防止することができる。無塵衣１０は、フード１３と前後身頃１４，１５と袖１６ａ，１６ｂとの各接合部が熱溶着手段または縫製によって気密に接合・固着されているから、接合部から無塵衣１０への他物の滲入や接合部からの塵埃を含む空気の漏出を防ぐことができる。
【００５９】
無塵衣１０は、それを着用した作業者３７の両目と鼻とがフード開口１７から露出し、作業者３７の視界と呼吸とが妨げられることがないとともに、収縮した弾性ゴム１９（弾性伸縮性部材）によってフード１３の開口周縁部１８と作業者３７の顔面との間に隙間が生じ難く、無塵衣１０の内部の空気に塵埃が含まれていたとしても、塵埃を含む空気が作業者３７の顔面から前方へ排気されることはなく、塵埃を含む空気の作業者３７の前方への排気を防ぐことができる。
【００６０】
無塵１次更衣１１の上（外側）に無塵衣１０を重ね着し、無塵衣１０の各袖１６ａ，１６ｂの上（外側）に無塵アームカバー１２を着用した着用状態において、無塵衣１０や無塵１次更衣１１、無塵アームカバー１２が擦れ合うと静電気が発生し、作業者３７に不快感を与えるばかりか、静電気によって塵埃を含む周囲の浮遊物が無塵衣１０や無塵１次更衣１１、無塵アームカバー１２に付着し、無塵衣１０や無塵１次更衣１１、無塵アームカバー１２が浮遊物によって汚染される場合があるが、親水化剤による帯電防止加工が無塵衣１０と無塵１次更衣１と無塵アームカバー１２とに施されているから、静電気の発生を抑えることができ、作業者３７が無塵衣１０や無塵１次更衣１１、無塵アームカバー１２を快適に着用することができ、塵埃を含む周囲の浮遊物の無塵衣１０や無塵１次更衣１１、無塵アームカバー１２への付着を防ぐことができる。
【００６１】
図８は、無塵衣１０や無塵１次更衣１１、無塵アームカバー１２を着用した作業者３７が安全キャビネット４６で作業する場合の側面図であり、図９は、無塵衣１０や無塵１次更衣１１、無塵アームカバー１２を着用した作業者３７が安全キャビネット４６で作業する場合の背面図である。クリーンルームの作業室や実験室に安全キャビネット４６が設置され、その安全キャビネット４６において所定の作業や所定の実験を行う場合、作業者３７は安全キャビネット４６に向かった状態で、椅子に腰掛ける。
【００６２】
作業者３７が椅子に腰掛けると、図８に示すように、作業者３７の顔面が安全キャビネット４６の作業チャンバ４７に対向し、無塵衣１０の前身頃１４の延長部２２が作業者３７の大腿部を覆う。作業者３７は、作業チャンバ４７の内部に手袋４０を嵌めた手や無塵アームカバー１２に包被された腕を入れ、作業や実験を行う。
【００６３】
作業者３７が安全キャビネット４６において作業や実験中に、無塵衣１０を着用した作業者３７の動作によって無塵衣１０および無塵１次更衣１１が膨張および収縮（ポンピング）を繰り返し、無塵衣１０および無塵１次更衣１１の収縮から膨張によって無塵衣１０および無塵１次更衣１１の内部の空気が無塵衣１０および無塵１次更衣１１の内部から外部に放出されるが、後身頃１５に後方開口２７が形成されているから、図に矢印Ｌ１で示すように、無塵衣１０および無塵１次更衣１１の内部の空気が後方開口２７から作業者３７の背部の後方および下方へ排気され、無塵衣１０および無塵１次更衣１１の内部の空気が前身頃１４の前方やフード１３の前方へ排気されることはない。
【００６４】
なお、後方開口２７の頂部２８が後身頃１５の上方へ凸となるように円弧を画いているから、後方開口２７を囲繞する後身頃１５に皺や折り目が付き難く、後方開口２７が塞がれることはないから、無塵衣１０を着用した作業者３７の動作による無塵衣１０および無塵１次更衣１１の膨張および収縮（ポンピング）にともなって、無塵衣１０および無塵１次更衣１１の内部の空気が後方開口２７から作業者３７の背部の後方および下方へ確実に排気される。
【００６５】
無塵衣１０は、それを着用した作業者３７の動作による無塵衣１０および無塵１次更衣１１の膨張および収縮（ポンピング）にともなって無塵衣１０および無塵１次更衣１１の内部の空気が後身頃１５の後方開口２７から作業者３７の背部の後方および下方へ排気されるから、無塵衣１０および無塵１次更衣１１の内部の空気に塵埃が含まれていたとしても、塵埃を含む空気が作業者３７の前方へ排気されることはなく、塵埃を含む空気の作業者３７の前方への排気を防ぐことができ、安全キャビネット４６を利用しての作業中における安全キャビネット４６の作業用チャンバ４７への塵埃の進入を防ぐことができる。
【００６６】
無塵衣１０は、袖１６ａ，１６ｂが袖山２９（前後身頃１４，１５の袖付け２１，２５）からその袖口３０に向かって袖幅が次第に小さくなる先細りに成形されることで、ゴム紐で袖口３０を絞って塞ぐ必要はなく、作業者３７の前腕に袖口３０が固定され、袖１６ａ，１６ｂの前腕から上腕へのズレ上がりを防ぐことができ、無塵衣１０および無塵１次更衣１１の内部の空気に塵埃が含まれていたとしても、塵埃を含む空気が袖口３０から外部に排気されることを抑えることができる。
【００６７】
無塵衣１０は、前身頃１４が延長部２２を有することで、前身頃１４の裾２３（下端縁）が下方へ延長されるから、無塵衣１０および無塵１次更衣１１の内部の空気が前身頃１４の側の裾口開口４２から作業者３７の前方へ排気され難くなり、塵埃を含む空気の作業者３７の前方への排気を防ぐことができる。本発明に係る無塵衣１０を利用することで、作業者が１次更衣室の汚れをクリーンルーム（清浄な作業エリア）に持ち込むことなく、作業エリアに進入して作業を行うことを可能にすることができる。
【００６８】
作業室における作業や実験室における実験が終了し、無塵衣１０や無塵１次更衣１１、無塵アームカバー１２を脱ぐ場合の脱衣手順の一例は以下のとおりである。作業者３７は、クリーンルームの作業室や実験室から２次更衣室（ガウニング室）に移動し、一方の無塵アームカバー１２を無塵衣１０の一方の袖１６ａから抜き取り、他方の無塵アームカバー１２を無塵衣１０の他方の袖１６ｂから抜き取る。次に、無塵衣１０の一方の袖１６ａから作業者３７の一方の腕（無塵１次更衣１１の一方の袖４１ａを抜き、他方の袖１６ｂから他方の腕（無塵１次更衣１１の他方の袖４１ｂ）を抜くとともに、フード１３から頭部を抜き、挿入開口４３（裾口開口４２＋後方開口２７）から頭部や胴部を抜いて無塵衣１０を脱衣する。作業者３７は、無塵衣１０を脱衣した後、無塵衣１０および無塵アームカバー１２をクリーンルームの２次更衣室（ガウニング室）の棚に置き、２次更衣室（ガウニング室）から１次更衣室（共通前室）に移動する。
【００６９】
１次更衣室（共通前室）に移動した作業者３７は、無塵１次更衣１１を脱ぎ、頭からキャップ３９を取る。マスク３７を口から取り外し、手袋４０を脱ぐ。作業者３７は、無塵１次更衣１１やキャップ３９、マスク３７、手袋４０を脱衣した後、それらを１次更衣室の棚に置き、１次更衣室から退出する。
【００７０】
無塵衣１０は、それを脱ぐときに、一方の袖１６ａから作業者の一方の腕（無塵１次更衣１１の一方の袖４１ａ）を抜き、他方の袖１６ｂから他方の腕（無塵１次更衣１１の他方の袖４１ｂ）を抜くとともに、フード１３から頭部を抜き、挿入開口２７（裾口開口４２＋後方開口４３）から頭部や胴部を抜けばよく、作業者の頭部や胴部を挿入開口２７から容易に抜くことができ、さらに、スライドファスナーのスライダーをスライドさせる操作や面ファスナーを外す操作が不要となるとともに、帯紐を解く操作が不要となり、少ない脱衣動作および少ない脱衣操作で時間と手間とを要さず、広い着用スペースでなく狭い着用スペースでも迅速かつ円滑に脱衣することができる。
【符号の説明】
【００７１】
１０    無塵衣（ヤッケ型無塵２次更衣）
１１    無塵１次更衣
１２    無塵アームカバー
１３    フード
１３ａ  右半身
１３ｂ  左半身
１４    前身頃
１５    後身頃
１６ａ  袖
１６ｂ  袖
１７    フード開口
１８    開口周縁部
１９    弾性ゴム（弾性伸縮性部材）
２０    襟刳り
２１    袖付け
２２    延長部
２３    裾（下端縁）
２４    襟刳り
２５    袖付け
２６    裾（下端部）
２７    後方開口
２８    頂部
２９    袖山
３０    袖口
３１    肩部
３２    胴部
３３    身頃
３４    中心縁部
３５    首周り
３６    側部
３７    作業者
３８    マスク
３９    キャップ
４０    手袋
４１ａ  袖
４１ｂ  袖
４２    裾口開口
４３    挿入開口
４４    前身頃
４５    後身頃
４６    安全キャビネット
４７    作業用チャンバ
【図１】
2019039081.tif 000003
【図２】
2019039081.tif 000004
【図３】
2019039081.tif 000005
【図４】
2019039081.tif 000006
【図５】
2019039081.tif 000007
【図６】
2019039081.tif 000008
【図７】
2019039081.tif 000009
【図８】
2019039081.tif 000010
【図９】
2019039081.tif 000011